(57)【要約】【課題】首に掛けた状態で通話や各種機能を利用することが可能な携帯電話装置を提供する。【解決手段】本体部２と各種機能モジュール３と、機能モジュール３を保持するストラップ部４と、機能モジュール３を電気的に接続する電気接続部材５を備え、本体部２と機能モジュール３を、ストラップ部４に保持し、電気接続部材５で機能モジュールを電気的に接続し、各種機能を実現できるように構成する。これにより携帯電話使用者は両手をフリーにした状態で通話することができる。【選択図】図１
2007274447.tif 000002
【特許請求の範囲】
【請求項１】
携帯電話装置の各種機能を構成する機能モジュールと、その機能モジュールを保持する環状の紐と、各機能モジュールを電気的に接続する信号伝達部とを備えた携帯電話装置。
【請求項２】
前記機能モジュールが着脱可能であることを特徴とする請求項１記載の携帯電話装置。
【請求項３】
前記機能モジュールが衣服の一部に固定することのできる保持部を備えたことを特徴とする請求項１乃至、２記載の携帯電話装置。
【発明の詳細な説明】
【技術分野】
【０００１】
本発明は、首掛けて用いる携帯電話装置に関する。
【背景技術】
【０００２】
従来、携帯電話装置などの電子機器を首に掛けて使用する場合の入力装置として、ストラップを環状に連結し、その連結部に電子機器との接続ができるように連結部材を具備し、前記ストラップに1つ以上の入力装置を備え、電子機器と接続するように構成したものが知られている。（特許文献１参照）
この入力装置によれば、連結部材と入力装置を一体化することができ、また接続された電子機器を首に掛けた状態で操作することができる。
【特許文献１】特開２００４−２１５２１４号公報（第１２頁、第８図）
【発明の開示】
【発明が解決しようとする課題】
【０００３】
しかしながら、特許文献１記載の入力装置は、接続された電子機器を操作することのみを目的としており、この発明による入力装置を用い携帯電話装置を使用しようとしたとき首に掛けたままの状態での通話ができない、また、携帯電話装置の使用者が必要とする機能を任意選択し使用することができない、また、携帯電話機本体部分が保持されていないため首に掛け使用する場合にブラブラしてしまい使い難いという問題があった。
【０００４】
本発明は、このような従来の問題を解決するためになされたものであり、携帯電話装置を首に掛けた状態で使用できるように構成し、使用者が両手を塞ぐことなく快適に使用できる携帯電話装置を提供することを目的とするものである。
【課題を解決するための手段】
【０００５】
本発明の携帯電話装置は、携帯電話装置の各種機能を構成する機能モジュールと、その機能モジュールを保持する環状の紐と、各機能モジュールを電気的に接続する信号伝達部とを備えた構成を有する。
【０００６】
この構成により、携帯電話装置の使用者は首に掛けた状態で通話や、各種機能を利用できる。
【０００７】
また、本発明の携帯電話装置は、前記機能モジュールが着脱可能であることを特徴とする構成を有する。
【０００８】
この構成により、携帯電話装置の使用者が必要とする任意の機能モジュールを選択し、また最適な位置に配置することで各種機能を効率よく利用することができる。
【０００９】
また、本発明の携帯電話装置は、前記機能モジュールが体または衣服の一部に固定することのできる保持部を備えた構成を有する。
【００１０】
この構成により、携帯電話装置の使用者が首に掛けて使用するときや前屈状態になったときにブラブラしたり、机などに引っ掛けたりせず快適に使用することができる。
【発明の効果】
【００１１】
本発明は、携帯電話装置の各種機能を構成する機能モジュールと、その機能モジュールを保持する環状の紐と、各機能モジュールを電気的に接続する信号伝達部とを備え、携帯電話装置を首に掛けることができるように構成したものであり、これにより携帯電話装置使用者は首に掛けた状態で通話や各種機能を利用できるようになるため、通話をしながら両手を使用することができるようになり、また常に体に身につけておくことが可能となるため置き忘れや盗難防止をすることができる。
【発明を実施するための最良の形態】
【００１２】
以下、本発明の実施の形態について図面を用いて説明する。
【００１３】
（第１の実施の形態）
図１は、本発明の第１の実施の形態における携帯電話装置の概略図である。
【００１４】
本発明の第１の実施の形態における携帯電話装置１は、図１に示すように、本体部２と機能モジュール３と、機能モジュール３を保持するストラップ部４と、機能モジュール３を電気的に接続する電気接続部材５で構成されている。本体部２と機能モジュール３は、ストラップ部４に保持され、電気接続部材５は本体部２と機能モジュール３を電気的に接続し、各種機能を実現できるようになっており、また本体部２および機能モジュール３には衣服に固定できるように固定部品６が構成されている。
【００１５】
上記本体部２は携帯電話機としての基本機能を実現するためのブロックで、基地局との通信を行う無線部７と、機能モジュール３の制御を含めた携帯電話装置全体の制御を行う制御部８から構成されている。
【００１６】
次に、本実施の形態における携帯電話装置について、図２、図３、図４、図５を用いて詳細に説明する。前記機能モジュール３は、通話を行う際の受話モジュール９、送話モジュール１０、電源モジュール１１、アンテナモジュール１２、表示モジュール１３、操作モジュール１４、振動発生モジュール１５、スピーカモジュール１６、光表示モジュール１７、画像撮影モジュール１８などがあり、本体部２に接続された電気接続部材５と電気的に接続され、ストラップ部４に保持されている。
【００１７】
このように、本実施の形態における携帯電話装置によれば、携帯電話使用者が通話を行う場合、操作モジュール１４を操作し発信、または着信し、その後は手をフリーにした状態で、受話モジュール９またはスピーカモジュール１６からの音を聞き、受話モジュール９に向かって話すことでハンズフリーの状態で通話が可能になる。
【００１８】
なお、本実施の形態では、受話モジュール９をストラップ部４に固定した構成としているが、イヤホンタイプに構成してもよく、このようにすれば、周囲の騒音が高い場合でも相手の声または音を聞き取ることができ、確実に通話することができる。
【００１９】
また、本実施の形態においては、振動発生モジュール１５を首に掛かる部分に配置するように構成しているため、従来の携帯電話装置のように重量の大きな装置本体全体を振動させる必要がないため、小さな振動で確実に使用者に知らせることができる。
【００２０】
また、本実施の形態においては、受話モジュール９とアンテナモジュール１２の距離を離すことができるため、通話の際にアンテナを頭に近づける必要がないため電波による人体への影響を少なくすることができる。
【００２１】
また、本実施の形態においては、本体部２と表示モジュール１３に固定部品６が構成されている。図3において固定部は固定部品６と回転軸１９で構成されており、図４、図５に示すように固定部品６を回転軸１９中心に回転させ、衣服の挟み込みやすい方向に挿入口を向けることができるように構成している。
【００２２】
したがって、携帯電話使用者は、固定部品６によって表示モジュール１３を衣服に固定することができ、前屈状態になった場合や歩行等の移動状態での使用においても携帯電話装置をブラブラさせることなく快適に使用することができる。
【００２３】
またここでは、表示モジュール１３について述べたが、その他のモジュール、本体部２についても同様であり、また固定部品６を着脱可能としてもいいことはいうまでもない。
【００２４】
なお、本実施の形態では、各種機能モジュールを単機能で構成しているが、機能を複合化してもよく、このようにすれば、携帯電話装置をシンプルにすることができ、コストダウンすることができる。
【００２５】
（第２の実施の形態）
図６は、本発明の第２の実施の形態における携帯電話装置の概略図である。
【００２６】
図６において、図１と同一の番号を付したものは、図１に示すものと同一のものを示している。したがって、これらのものについては、その詳細な説明を省略し、異なる点のみを説明する。
【００２７】
本発明の第２の実施の形態における携帯電話装置では、図６に示すように、前記実施例１の携帯電話装置の機能モジュールを複合化し、最小構成としている。メインユニット２０には無線部と制御部、表示部、操作部等を構成し、サユニット２１には受話部、送話部、スピーカ部、振動発生部などを構成している。したがって、携帯電話装置使用者が着信、または発信したとき、メインユニット２０を操作し、サブユニット２１からの音を聴きながら通話することができる。
【００２８】
（第３の実施の形態）
図７は、本発明の第２の実施の形態における携帯電話装置に機能モジュールを追加した概略図である。
【００２９】
図７において、図１と同一の番号を付したものは、図６に示すものと同一のものを示している。したがって、これらのものについては、その詳細な説明を省略し、異なる点のみを説明する。
【００３０】
本発明の第３の実施の形態における携帯電話装置では、図７に示すように、前記実施例２の携帯電話装置とは機能モジュールである画像撮影モジュール２２を着脱可能としたところが異なる。図７において画像撮影モジュール２２の筐体をストラップ部４にクリップまたはネジ等で固定し、メインユニット２０と画像撮影モジュール２２は電気接続ケーブル２３によって電気的に接続させその機能を実現する。ここでは電気接続ケーブル２３をストラップ部４に巻きつけるように構成したが、特に巻きつる必要がない場合は巻き付けなくても良い。またここでは画像撮影モジュール２２を想定し、その構成を示したが前記その他の機能モジュールでも可能であることはいうまでもない。したがって、携帯電話使用者は、必要に応じて各種機能モジュールを任意の位置に配置し、且つ選択的にその機能を利用することができる。
【産業上の利用可能性】
【００３１】
本発明は、携帯電話装置の各種機能を構成する機能モジュールと、その機能モジュールを保持する環状の紐と、各機能モジュールを電気的に接続する信号伝達部とを備え、携帯電話装置を首に掛けることができるように構成したものであり、これにより携帯電話装置使用者は首に掛けた状態で通話や各種機能を利用できるようにすることができ、通話をしながら両手を使用する必要がある場合に有用である。
【図面の簡単な説明】
【００３２】
【図１】本発明の第１の実施の形態における携帯電話装置の概略図
【図２】本発明の第１の実施の形態における携帯電話装置の詳細図
【図３】本発明の第１の実施の形態における携帯電話装置の固定部品の詳細図
【図４】本発明の第１の実施の形態における携帯電話装置の固定部品の詳細図
【図５】本発明の第１の実施の形態における携帯電話装置の固定部品の詳細図
【図６】本発明の第２の実施の形態における携帯電話装置の概略図
【図７】本発明の第２の実施の形態における携帯電話装置に機能モジュールを追加した概略図
【図８】従来の携帯電話装置の概略図
【符号の説明】
【００３３】
１    携帯電話装置
２    本体部
３    機能モジュール
４    ストラップ部
５    電気接続部材
６    固定部品
７    無線部
８    制御部
９    受話モジュール
１０    送話モジュール
１１    電源モジュール
１２    アンテナモジュール
１３    表示モジュール
１４    操作モジュール
１５    振動発生モジュール
１６    スピーカモジュール
１７    光表示モジュール
１８    画像撮影モジュール
１９    回転軸
２０    メインユニット
２１    サブユニット
２２    画像撮影モジュール
２３    電気接続ケーブル
【図１】
2007274447.tif 000003
【図２】
2007274447.tif 000004
【図３】
2007274447.tif 000005
【図４】
2007274447.tif 000006
【図５】
2007274447.tif 000007
【図６】
2007274447.tif 000008
【図７】
2007274447.tif 000009
【図８】
2007274447.tif 000010